(57)【特許請求の範囲】
【請求項１】
基地局装置と通信する移動局装置において、
第１の送信電力制御情報と第２の送信電力制御情報とを含み、物理上りリンク共用チャネルのスケジューリングに用いられる下りリンク制御情報であって、２つのトランスポートブロックに対する下りリンク制御情報を前記基地局装置から受信し、
前記第１の送信電力制御情報が示す値を累算し、
前記累算された値と前記第２の送信電力制御情報が示す電力オフセットを用いて、物理上りリンク共用チャネルの送信電力を算出し、
前記下りリンク制御情報によって１つのトランスポートブロックの無効を示され、もう１つのトランスポートブロックの有効を示される場合には、前記無効であるトランスポートブロックの初期送信または再送信を示す情報がマップされるフィールドに第２の送信電力制御情報がマップされる
ことを特徴とする移動局装置。
【請求項２】
前記基地局装置から受信した、２つのトランスポートブロックに対する下りリンク制御情報によって２つのトランスポートブロックの有効を示された場合には、前記電力オフセットを０にセットする
ことを特徴とする請求項１に記載の移動局装置。
【請求項３】
前記基地局装置から１つのトランスポートブロックに対する下りリンク制御情報を受信した場合には、前記電力オフセットを０にセットする
ことを特徴とする請求項１または請求項２に記載の移動局装置。
【請求項４】
移動局装置と通信する基地局装置において、
第１の送信電力制御情報と第２の送信電力制御情報とを含み、物理上りリンク共用チャネルのスケジューリングに用いられる下りリンク制御情報であって、２つのトランスポートブロックに対する下りリンク制御情報を前記移動局装置に送信し、
前記第１の送信電力制御情報が示す値は、前記移動局装置によって累算され、
前記累算された値と前記第２の送信電力制御情報が示す電力オフセットは、前記移動局装置によって物理上りリンク共用チャネルの送信電力の算出に用いられ、
前記下りリンク制御情報によって１つのトランスポートブロックの無効を示され、もう１つのトランスポートブロックの有効を示される場合には、前記無効であるトランスポートブロックの初期送信または再送信を示す情報がマップされるフィールドに第２の送信電力制御情報がマップされる
ことを特徴とする基地局装置。
【請求項５】
基地局装置と通信する移動局装置に用いられる無線通信方法において、
第１の送信電力制御情報と第２の送信電力制御情報とを含み、物理上りリンク共用チャネルのスケジューリングに用いられる下りリンク制御情報であって、２つのトランスポートブロックに対する下りリンク制御情報を前記基地局装置から受信し、
前記第１の送信電力制御情報が示す値を累算し、
前記累算された値と前記第２の送信電力制御情報が示す電力オフセットを用いて、物理上りリンク共用チャネルの送信電力を算出し、
前記下りリンク制御情報によって１つのトランスポートブロックの無効を示され、もう１つのトランスポートブロックの有効を示される場合には、前記無効であるトランスポートブロックの初期送信または再送信を示す情報がマップされるフィールドに第２の送信電力制御情報がマップされる
ことを特徴とする無線通信方法。
【請求項６】
前記基地局装置から受信した、２つのトランスポートブロックに対する下りリンク制御情報によって２つのトランスポートブロックの有効を示された場合には、前記電力オフセットを０にセットする
ことを特徴とする請求項５に記載の無線通信方法。
【請求項７】
前記基地局装置から１つのトランスポートブロックに対する下りリンク制御情報を受信した場合には、前記電力オフセットを０にセットする
ことを特徴とする請求項５または請求項６に記載の無線通信方法。
【請求項８】
移動局装置と通信する基地局装置に用いられる無線通信方法において、
第１の送信電力制御情報と第２の送信電力制御情報とを含み、物理上りリンク共用チャネルのスケジューリングに用いられる下りリンク制御情報であって、２つのトランスポートブロックに対する下りリンク制御情報を前記移動局装置に送信し、
前記第１の送信電力制御情報が示す値は、前記移動局装置によって累算され、
前記累算された値と前記第２の送信電力制御情報が示す電力オフセットは、前記移動局装置によって物理上りリンク共用チャネルの送信電力の算出に用いられ、
前記下りリンク制御情報によって１つのトランスポートブロックの無効を示され、もう１つのトランスポートブロックの有効を示される場合には、前記無効であるトランスポートブロックの初期送信または再送信を示す情報がマップされるフィールドに第２の送信電力制御情報がマップされる
ことを特徴とする無線通信方法。
【請求項９】
基地局装置と通信する移動局装置に用いられる集積回路において、
第１の送信電力制御情報と第２の送信電力制御情報とを含み、物理上りリンク共用チャネルのスケジューリングに用いられる下りリンク制御情報であって、２つのトランスポートブロックに対する下りリンク制御情報を前記基地局装置から受信する前記移動局装置の処理を制御し、
前記第１の送信電力制御情報が示す値を累算し、
前記累算された値と前記第２の送信電力制御情報が示す電力オフセットを用いて、物理上りリンク共用チャネルの送信電力を算出し、
前記下りリンク制御情報によって１つのトランスポートブロックの無効を示され、もう１つのトランスポートブロックの有効を示される場合には、前記無効であるトランスポートブロックの初期送信または再送信を示す情報がマップされるフィールドに第２の送信電力制御情報がマップされる
ことを特徴とする集積回路。
【請求項１０】
前記基地局装置から受信した、２つのトランスポートブロックに対する下りリンク制御情報によって２つのトランスポートブロックの有効を示された場合には、前記電力オフセットを０にセットする
ことを特徴とする請求項９に記載の集積回路。
【請求項１１】
前記基地局装置から１つのトランスポートブロックに対する下りリンク制御情報を受信した場合には、前記電力オフセットを０にセットする
ことを特徴とする請求項９または請求項１０に記載の集積回路。
【請求項１２】
移動局装置と通信する基地局装置に用いられる集積回路において、
第１の送信電力制御情報と第２の送信電力制御情報とを含み、物理上りリンク共用チャネルのスケジューリングに用いられる下りリンク制御情報であって、２つのトランスポートブロックに対する下りリンク制御情報を前記移動局装置に送信する前記基地局装置の処理を制御し、
前記第１の送信電力制御情報が示す値は、前記移動局装置によって累算され、
前記累算された値と前記第２の送信電力制御情報が示す電力オフセットは、前記移動局装置によって物理上りリンク共用チャネルの送信電力の算出に用いられ、
前記下りリンク制御情報によって１つのトランスポートブロックの無効を示され、もう１つのトランスポートブロックの有効を示される場合には、前記無効であるトランスポートブロックの初期送信または再送信を示す情報がマップされるフィールドに第２の送信電力制御情報がマップされる
ことを特徴とする集積回路。
【発明の詳細な説明】
【技術分野】
【０００１】
本発明は、基地局装置、移動局装置、無線通信方法および集積回路に関する。   
【背景技術】
【０００２】
セルラー移動通信の無線アクセス方式および無線ネットワークの進化（以下、「Long Term Evolution （LTE）」、または、「Evolved Universal Terrestrial Radio Access （EUTRA）」と称する。）が、第三世代パートナーシッププロジェクト（3rd Generation Partnership Project: 3GPP）において検討されている。ＬＴＥでは、基地局装置から移動局装置への無線通信（下りリンク）の通信方式として、マルチキャリア送信である直交周波数分割多重（Orthogonal Frequency Division Multiplexing: OFDM）方式が用いられる。また、移動局装置から基地局装置への無線通信（上りリンク）の通信方式として、シングルキャリア送信であるＳＣ−ＦＤＭＡ（Single-Carrier Frequency Division Multiple Access）方式が用いられる。ＬＴＥでは、基地局装置をenhanced NodeB（eNodeB）、移動局装置をUser Equipment （UE）と称する。
【０００３】
ＬＴＥにおいて、基地局装置は、下りリンク制御情報（Downlink Control Information: DCI）を用いて上りリンクデータ（または、「uplink shared channel: UL-SCH」と称する。）送信用のチャネルであるＰＵＳＣＨ（Physical Uplink Shared Channel）の初期送信または再送信を移動局装置に指示する。下りリンク制御情報は、ＰＤＣＣＨ（Physical Downlink Control Channel）で送信される。
【０００４】
ＬＴＥでは、キャパシティを改善するために、ＭＵ−ＭＩＭＯ（Multi User-Multiple Input Multiple Output）が導入されている。ＭＵ−ＭＩＭＯは、複数の移動局装置が同一時刻の、同一周波数で、ＰＵＳＣＨを用いて１つまたは複数のデータ系列を送信し、基地局装置が受信時に移動局装置それぞれが送信した１つまたは複数のデータ系列を分離する技術である。
【０００５】
しかしながら、複数の移動局装置からの複数のデータ系列が同一周波数に空間多重されるため、隣接セルへの干渉が増加してしまう。図７は、従来技術の隣接セルへの干渉信号を示す図である。図７のセルＡにおいて、移動局装置１Ａと移動局装置１Ｂとが基地局装置３Ａに信号を送信しており、移動局装置１Ａの信号と移動局装置１Ｂの信号が空間多重されている。図７のセルＢにおいて、移動局装置１Ｃと移動局装置１Ｄとが基地局装置３Ｂに信号を送信している。このとき、移動局装置１Ａの信号と移動局装置１Ｂの信号両方が、セルＢへの干渉となり、移動局装置１Ｃの信号と移動局装置１Ｄの信号両方が、セルＡへの干渉となる。
【０００６】
非特許文献１には、隣接セルへの干渉を抑えるために、同一周波数にスケジュールされる移動局装置の数に応じて、移動局装置が送信する信号の電力を下げる技術が記載されている。非特許文献１において、移動局装置は非特許文献１の（３）式から送信電力を算出する。
【先行技術文献】
【非特許文献】
【０００７】
【非特許文献１】"Investigation on Resource Assignment and Power Control Schemes for Uplink MU-MIMO in Multi-cell Environments for LTE/LTE-Advanced", NTT DOCOMO, INC, 2010 16th Asia-Pacific Conference on Communications (APCC), Issue Date : Oct. 31 2010 - Nov. 3 2010.
【発明の概要】
【発明が解決しようとする課題】
【０００８】
しかしながら、従来の技術では、基地局装置が移動局装置に同一周波数にスケジュールされる移動局装置の数を通知する必要があり、基地局装置から移動局装置への信号のオーバーヘッドが増加してしまうという問題があった。
【０００９】
本発明は上記の点に鑑みてなされたものであり、その目的は、移動局装置と基地局装置とが通信する無線通信システムにおいて、基地局装置から移動局装置への信号のオーバーヘッドを抑え、また効率的に移動局装置から基地局装置への信号の電力を制御することができる基地局装置、移動局装置、無線通信方法および集積回路を提供することを目的とする。
【課題を解決するための手段】
【００１０】
（１）上記の目的を達成するために、本発明は、以下のような手段を講じた。すなわち、本発明の移動局装置は、基地局装置と通信する移動局装置であって、第１の送信電力制御情報と第２の送信電力制御情報とを含み、物理上りリンク共用チャネルのスケジューリングに用いられる下りリンク制御情報であって、２つのトランスポートブロックに対する下りリンク制御情報を前記基地局装置から受信し、前記第１の送信電力制御情報が示す値を累算し、前記累算された値と前記第２の送信電力制御情報が示す電力オフセットを用いて、物理上りリンク共用チャネルの送信電力を算出し、前記下りリンク制御情報によって１つのトランスポートブロックの無効を示され、もう１つのトランスポートブロックの有効を示される場合には、前記無効であるトランスポートブロックの初期送信または再送信を示す情報がマップされるフィールドに第２の送信電力制御情報がマップされることを特徴としている。
【００１２】
（２）また、本発明は、上記の移動局装置において、前記基地局装置から受信した、２つのトランスポートブロックに対する下りリンク制御情報によって２つのトランスポートブロックの有効を示された場合には、前記電力オフセットを０にセットすることを特徴としている。
【００１３】
（３）また、本発明は、上記の移動局装置において、前記基地局装置から１つのトランスポートブロックに対する下りリンク制御情報を受信した場合には、前記電力オフセットを０にセットすることを特徴としている。
【００１４】
（４）また、本発明の基地局装置は、移動局装置と通信する基地局装置であって、第１の送信電力制御情報と第２の送信電力制御情報とを含み、物理上りリンク共用チャネルのスケジューリングに用いられる下りリンク制御情報であって、２つのトランスポートブロックに対する下りリンク制御情報を前記移動局装置に送信し、前記第１の送信電力制御情報が示す値は、前記移動局装置によって累算され、前記累算された値と前記第２の送信電力制御情報が示す電力オフセットは、前記移動局装置によって物理上りリンク共用チャネルの送信電力の算出に用いられ、前記下りリンク制御情報によって１つのトランスポートブロックの無効を示され、もう１つのトランスポートブロックの有効を示される場合には、前記無効であるトランスポートブロックの初期送信または再送信を示す情報がマップされるフィールドに第２の送信電力制御情報がマップされることを特徴としている。
【００２０】
（５）また、本発明の無線通信方法は、基地局装置と通信する移動局装置に用いられる無線通信方法であって、第１の送信電力制御情報と第２の送信電力制御情報とを含み、物理上りリンク共用チャネルのスケジューリングに用いられる下りリンク制御情報であって、２つのトランスポートブロックに対する下りリンク制御情報を前記基地局装置から受信し、前記第１の送信電力制御情報が示す値を累算し、前記累算された値と前記第２の送信電力制御情報が示す電力オフセットを用いて、物理上りリンク共用チャネルの送信電力を算出し、前記下りリンク制御情報によって１つのトランスポートブロックの無効を示され、もう１つのトランスポートブロックの有効を示される場合には、前記無効であるトランスポートブロックの初期送信または再送信を示す情報がマップされるフィールドに第２の送信電力制御情報がマップされることを特徴としている。
【００２２】
（６）また、本発明は、上記の無線通信方法において、前記基地局装置から受信した、２つのトランスポートブロックに対する下りリンク制御情報によって２つのトランスポートブロックの有効を示された場合には、前記電力オフセットを０にセットすることを特徴としている。
【００２３】
（７）また、本発明は、上記の無線通信方法において、前記基地局装置から１つのトランスポートブロックに対する下りリンク制御情報を受信した場合には、前記電力オフセットを０にセットすることを特徴としている。
【００２４】
（８）また、本発明の無線通信方法は、移動局装置と通信する基地局装置に用いられる無線通信方法であって、第１の送信電力制御情報と第２の送信電力制御情報とを含み、物理上りリンク共用チャネルのスケジューリングに用いられる下りリンク制御情報であって、２つのトランスポートブロックに対する下りリンク制御情報を前記移動局装置に送信し、前記第１の送信電力制御情報が示す値は、前記移動局装置によって累算され、前記累算された値と前記第２の送信電力制御情報が示す電力オフセットは、前記移動局装置によって物理上りリンク共用チャネルの送信電力の算出に用いられ、前記下りリンク制御情報によって１つのトランスポートブロックの無効を示され、もう１つのトランスポートブロックの有効を示される場合には、前記無効であるトランスポートブロックの初期送信または再送信を示す情報がマップされるフィールドに第２の送信電力制御情報がマップされることを特徴としている。
【００２６】
（９）また、本発明の集積回路は、基地局装置と通信する移動局装置に用いられる集積回路であって、第１の送信電力制御情報と第２の送信電力制御情報とを含み、物理上りリンク共用チャネルのスケジューリングに用いられる下りリンク制御情報であって、２つのトランスポートブロックに対する下りリンク制御情報を前記基地局装置から受信する前記移動局装置の処理を制御し、前記第１の送信電力制御情報が示す値を累算し、前記累算された値と前記第２の送信電力制御情報が示す電力オフセットを用いて、物理上りリンク共用チャネルの送信電力を算出し、前記下りリンク制御情報によって１つのトランスポートブロックの無効を示され、もう１つのトランスポートブロックの有効を示される場合には、前記無効であるトランスポートブロックの初期送信または再送信を示す情報がマップされるフィールドに第２の送信電力制御情報がマップされることを特徴としている。
【００２８】
（１０）また、本発明は、上記の集積回路において、前記基地局装置から受信した、２つのトランスポートブロックに対する下りリンク制御情報によって２つのトランスポートブロックの有効を示された場合には、前記電力オフセットを０にセットすることを特徴としている。
【００２９】
（１１）また、本発明は、上記の集積回路において、前記基地局装置から１つのトランスポートブロックに対する下りリンク制御情報を受信した場合には、前記電力オフセットを０にセットすることを特徴としている。
【００３０】
（１２）また、本発明の集積回路は、移動局装置と通信する基地局装置に用いられる集積回路であって、第１の送信電力制御情報と第２の送信電力制御情報とを含み、物理上りリンク共用チャネルのスケジューリングに用いられる下りリンク制御情報であって、２つのトランスポートブロックに対する下りリンク制御情報を前記移動局装置に送信する前記基地局装置の処理を制御し、前記第１の送信電力制御情報が示す値は、前記移動局装置によって累算され、前記累算された値と前記第２の送信電力制御情報が示す電力オフセットは、前記移動局装置によって物理上りリンク共用チャネルの送信電力の算出に用いられ、前記下りリンク制御情報によって１つのトランスポートブロックの無効を示され、もう１つのトランスポートブロックの有効を示される場合には、前記無効であるトランスポートブロックの初期送信または再送信を示す情報がマップされるフィールドに第２の送信電力制御情報がマップされることを特徴としている。
【発明の効果】
【００３２】
この発明によれば、移動局装置と基地局装置とが通信する無線通信システムにおいて、効率的に移動局装置から基地局装置への信号の電力を制御することができる。
【図面の簡単な説明】
【００３３】
【図１】本発明の実施形態に係る無線通信システムの概念図である。
【図２】本発明の無効であるトランスポートブロックに対するNew data indicator fieldとδPOWER-OFFSETとの対応を示す表である。
【図３】本発明のＴＰＣコマンドと電力の値との対応を示す表である。
【図４】本発明の基地局装置３の構成を示す概略ブロック図である。
【図５】本発明の移動局装置１の構成を示す概略ブロック図である。
【図６】本発明の移動局装置１の動作の一例を示すフローチャート図である。
【図７】従来技術の隣接セルへの干渉信号を示す図である。
【発明を実施するための形態】
【００３４】
（第１の実施形態）
以下、図面を参照しながら本発明の第１の実施形態について詳しく説明する。
【００３５】
まず、本発明の物理チャネルについて説明する。
【００３６】
図１は、本発明の実施形態に係る無線通信システムの概念図である。図１において、無線通信システムは、移動局装置１Ａ〜１Ｃ、および基地局装置３を具備する。図１は、基地局装置３から移動局装置１Ａ〜１Ｃへの無線通信（下りリンク）では、同期信号（Synchronization signal: SS）、下りリンク参照信号（Downlink Reference Signal: DL RS）、物理報知チャネル（Physical Broadcast Channel: PBCH）、物理下りリンク制御チャネル（Physical Downlink Control Channel: PDCCH）、物理下りリンク共用チャネル（Physical Downlink Shared Channel: PDSCH）、物理マルチキャストチャネル（Physical Multicast Channel: PMCH）、物理制御フォーマットインディケータチャネル（Physical Control Format Indicator Channel: PCFICH）、物理ＨＡＲＱインディケータチャネル（Physical Hybrid ARQ Indicator Channel: PHICH）が用いられることを示す。
【００３７】
また、図１は、移動局装置１Ａ〜１Ｃから基地局装置３への無線通信（上りリンク）では、上りリンク参照信号（Uplink Reference Signal: UL RS）、物理上りリンク制御チャネル（Physical Uplink Control Channel: PUCCH）、物理上りリンク共用チャネル（Physical Uplink Shared Channel: PUSCH）、物理ランダムアクセスチャネル（Physical Random Access Channel: PRACH）が用いられることを示す。以下、移動局装置１Ａ〜１Ｃを移動局装置１という。
【００３８】
同期信号は、移動局装置１が下りリンクの周波数領域および時間領域の同期をとるために用いられる信号である。下りリンク参照信号は、移動局装置１が下りリンクの周波数領域および時間領域の同期をとるために用いられたり、移動局装置１が下りリンクの受信品質を測定するために用いられたり、移動局装置１がＰＤＳＣＨやＰＤＣＣＨの伝搬路補正を行なうために用いられる信号である。ＰＢＣＨは、システム情報（Broadcast Channel: BCH）を報知するために用いられる物理チャネルである。ＰＢＣＨで送信されるシステム情報を、MasterInformationBlock（ＭＩＢ）と称する。
【００３９】
ＰＤＣＣＨは、下りリンクアサインメント（downlink assignment、またはdownlink grantとも称する。）や上りリンクグラント（uplink grant）などの下りリンク制御情報（Downlink Control Information: DCI）を送信するために用いられる物理チャネルである。下りリンクアサインメントは、ＰＤＳＣＨに対する変調方式および符号化率に関する情報（Modulation and Coding Scheme: MCS）、無線リソースの割り当てを示す情報などから構成される。上りリンクグラントは、ＰＵＳＣＨに対する変調方式および符号化率に関する情報、無線リソースの割り当てを示す情報などから構成される。上りリンクグラントの詳細な構成は後述する。
【００４０】
ＰＤＳＣＨは、ページング情報（Paging Channel: PCH）、ＰＢＣＨで送信されるシステム情報とは異なるシステム情報および下りリンクデータ（Downlink Shared Channel: DL-SCH）を送信するために用いられる物理チャネルである。ＰＤＳＣＨで送信されるシステム情報を、SystemInformationBlock（ＳＩＢ）と称する。ＰＭＣＨは、ＭＢＭＳ（Multimedia Broadcast and Multicast Service）に関する情報（Multicast Channel: MCH）を送信するために用いられる物理チャネルである。ＰＣＦＩＣＨは、ＰＤＣＣＨが配置される領域を示す情報を送信するために用いられる物理チャネルである。ＰＨＩＣＨは、基地局装置３が受信した上りリンクデータの復号の成否を示すＨＡＲＱインディケータ（応答情報）を送信するために用いられる物理チャネルである。
【００４１】
基地局装置３がＰＵＳＣＨに含まれる上りリンクデータの復号に成功した場合は、該上りリンクデータに対するＨＡＲＱインディケータはＡＣＫ（ACKnowledgement）を示し、基地局装置３がＰＵＳＣＨに含まれる上りリンクデータの復号に失敗した場合は、該上りリンクデータに対するＨＡＲＱインディケータはＮＡＣＫ（Negative ACKnowledgement）を示す。単一のＰＨＩＣＨは、単一の上りリンクデータに対するＨＡＲＱインディケータを送信する。同一のＰＵＳＣＨに含まれる複数の上りリンクデータに対するＨＡＲＱインディケータは、複数のＰＨＩＣＨを用いて送信される。
【００４２】
上りリンク参照信号は、基地局装置３が上りリンクの時間領域の同期をとるために用いられたり、基地局装置３が上りリンクの受信品質を測定するために用いられたり、基地局装置３がＰＵＳＣＨやＰＵＣＣＨの伝搬路補正を行なうために用いられる信号である。上りリンク参照信号には、ＰＵＳＣＨまたはＰＵＣＣＨと時間多重されて送信されるＤＭＲＳ（Demodulation Reference Signal）と、ＰＵＳＣＨおよびＰＵＣＣＨとは関係なく送信されるＳＲＳ（Sounding Reference Signal）がある。
【００４３】
ＰＵＣＣＨは、下りリンクのチャネル品質を示すチャネル状態情報（Channel State Information: CSI）、ＰＵＳＣＨの無線リソースの要求を示すスケジューリング要求（Scheduling Request: SR）、移動局装置１が受信した下りリンクデータの復号の成否を示すＡＣＫ／ＮＡＣＫなど、通信の制御に用いられる情報である上りリンク制御情報（Uplink Control Information: UCI）を送信するために用いられる物理チャネルである。
【００４４】
ＰＵＳＣＨは、上りリンクデータや上りリンク制御情報を送信するために用いられる物理チャネルである。ＰＲＡＣＨは、ランダムアクセスプリアンブルを送信するために使用される物理チャネルである。ＰＲＡＣＨは、移動局装置１が基地局装置３と時間領域の同期をとることを主な目的とし、その他に、初期アクセス、ハンドオーバ、再接続要求、および上りリンクの無線リソースの割り当ての要求に用いられる。
【００４５】
上りリンクデータ（ＵＬ−ＳＣＨ）および下りリンクデータ（ＤＬ−ＳＣＨ）などは、トランスポートチャネルである。上りリンクデータをＰＵＳＣＨで送信する単位および下りリンクデータをＰＤＳＣＨで送信する単位は、トランスポートブロック（transport block: TB）と呼ばれる。トランスポートブロックは、ＭＡＣ（Media Access Control）層で取り扱われる単位であり、トランスポートブロック毎にＨＡＲＱ（再送信）の制御が行なわれる。また、上りリンクデータ（ＵＬ−ＳＣＨ）および下りリンクデータ（ＤＬ−ＳＣＨ）などのＭＡＣ層で取り扱われるデータの単位のことをＭＡＣ  ＰＤＵ（Protocol Data Unit）とも称する。物理層において、トランスポートブロックはコードワードにマップされ、コードワード毎に符号化の処理が行なわれる。
【００４６】
以下、本発明のセル集約（キャリア集約）について説明する。
【００４７】
セル集約処理では、複数のサービングセル（serving cell）が集約される。集約される複数のサービングセルのうち１つのサービングセルはプライマリーセル（Primary cell: Pcell）である。プライマリーセルは、ＬＴＥのセルと同等の機能を持つサービングセルである。
【００４８】
プライマリーセルを除いたサービングセルはセカンダリーセル（Secondary cell: Scell）である。セカンダリーセルはプライマリーセルよりも機能が制限されたセルであり、主にＰＤＳＣＨおよび／またはＰＵＳＣＨの送受信のために使用される。移動局装置１はプライマリーセルのみでＰＵＣＣＨの送信を行なう。移動局装置１はセカンダリーセルのＰＢＣＨおよびＰＤＳＣＨで送信されるページングおよびシステム情報を受信しない。
【００４９】
下りリンクにおいてサービングセルに対応するキャリアは下りリンクコンポーネントキャリア（Downlink Component Carrier: DL CC）であり、上りリンクにおいてサービングセルに対応するキャリアは上りリンクコンポーネントキャリア（Uplink Component Carrier: UL CC）である。下りリンクにおいてプライマリーセルに対応するキャリアは下りリンクプライマリーコンポーネントキャリア（Downlink Primary Component Carrier: DL PCC）であり、上りリンクにおいてプライマリーセルに対応するキャリアは上りリンクプライマリーコンポーネントキャリア（Uplink Primary Component Carrier: UL PCC）である。下りリンクにおいてセカンダリーセルに対応するキャリアは下りリンクセカンダリーコンポーネントキャリア（Downlink Secondary Component Carrier: DL SCC）であり、上りリンクにおいてセカンダリーセルに対応するキャリアは上りリンクセカンダリーコンポーネントキャリア（Uplink Secondary Component Carrier: UL SCC）である。
【００５０】
サービングセルで送信される物理チャネルは、ＬＴＥと同一のチャネル構造を持つ。物理チャネルのそれぞれは、いずれか１つのサービングセルで送信される。つまり、単一の物理チャネルが複数のサービングセルで送信されない。１つのサービングセル（ＤＬ  ＣＣ）で１つのＰＤＳＣＨが送信されることができ、１つのサービングセル（ＵＬ  ＣＣ）で最大１つのＰＵＳＣＨが送信されることができる。
【００５１】
プライマリーセルのＰＤＳＣＨのスケジューリングに用いられる下りリンクアサインメントとプライマリーセルのＰＵＳＣＨのスケジューリングに用いられる上りリンクグラントは、プライマリーセルのＰＤＣＣＨで送信される。セカンダリーセルのＰＤＳＣＨのスケジューリングに用いられる下りリンクアサインメントと、セカンダリーセルのＰＵＳＣＨのスケジューリングに用いられる上りリンクグラントとがＰＤＣＣＨで送信される1つのサービングセルは、セカンダリーセル毎に基地局装置３によって設定される。
【００５２】
基地局装置３は、下りリンクアサインメントおよび上りリンクグラントに下りリンクアサインメントおよび上りリンクグラントが対応するサービングセルを示す情報であるキャリアインディケータ（Carrier Indicator）を含むか否かをサービングセル毎に設定する。ＰＨＩＣＨは、ＰＨＩＣＨが対応するＰＵＳＣＨのスケジューリングに用いられる上りリンクグラントが送信されたサービングセルで送信される。
【００５３】
以下、本発明の上りリンクグラントの構成について説明する。
【００５４】
下りリンク制御情報には複数のフォーマットが用いられる。下りリンク制御情報のフォーマットをＤＣＩフォーマット（DCI format）と呼ぶ。例えば、上りリンクグラントのＤＣＩフォーマットは、シングルアンテナポートモードの単一のセル内のＰＵＳＣＨのスケジューリングに用いられるＤＣＩフォーマット０、マルチアンテナポートモードの単一のセル内のＰＵＳＣＨのスケジューリングに用いられるＤＣＩフォーマット４が用意される。移動局装置１は、ＤＣＩフォーマット０とＤＣＩフォーマット４を同時にモニタする。移動局装置１は、ＤＣＩフォーマット０を検出した場合はシングルアンテナポートモードでＰＵＳＣＨを送信し、ＤＣＩフォーマット４を検出した場合はマルチアンテナポートモードでＰＵＳＣＨを送信する。移動局装置１は、シングルアンテナポートモードの単一のＰＵＳＣＨを用いて単一のトランスポートブロックを基地局装置３に送信する。移動局装置１は、マルチアンテナポートモードの単一のＰＵＳＣＨを用いて２つまでのトランスポートブロックを基地局装置３に送信する。
【００５５】
マルチアンテナポートモードでは、移動局装置１は、ＭＩＭＯ  ＳＭ（Multiple Input Multiple Output Spatial Multiplexing）を用いてＰＵＳＣＨを送信する。ＭＩＭＯ  ＳＭとは、複数の送信アンテナポートおよび複数の受信アンテナポートにより実現される複数の空間次元のチャネルに対して複数の信号が多重されて送受信が行なわれる技術である。ここで、アンテナポートとは信号処理に用いられる論理的なアンテナのことを示す、１つのアンテナポートは１つの物理的なアンテナにより構成されてもよいし、複数の物理的なアンテナにより構成されてもよい。ＭＩＭＯ  ＳＭを用いた送信側では、複数の信号に対して適切な空間チャネルを形成するための処理（プリコーディング（precoding）と称す）が行われて、プリコーディングの処理が行なわれた複数の信号を複数の送信アンテナを用いて送信する。ＭＩＭＯ  ＳＭを用いた受信側では、複数の受信アンテナを用いて受信された複数の信号に対して空間次元のチャネルで多重された信号を適切に分離するための処理が行なわれる。
【００５６】
ＤＣＩフォーマット４には複数のフィールドが定義され、複数のフィールドのそれぞれに情報ビットがマップされる。ＤＣＩフォーマット４内に定義されるフィールドを以下に列挙する。尚、以下に列挙されたフィールド以外のフィールドがＤＣＩフォーマット４内に定義されてもよい。
【００５７】
・  ＰＵＳＣＨの無線リソースの割り当てを示す情報ビットがマップされるフィールド（Resource block assignment field）―[x] bit
・  ＰＵＳＣＨの送信電力制御（Transmission Power Control: TPC）に用いられる情報ビットがマップされるフィールド（TPC command field）―2 bit
・  空間多重される系列の数と該系列に対して行なうプリコーディングを示す情報ビットがマップされるフィールド（Precoding information and number of layers field）―[3 or 6] bit
・  第１のトランスポートブロックに対する変調および符号化方式と、リダンダンシーバージョンを示す情報ビットがマップされるフィールド（Modulation and coding scheme and redundancy version for first transport block field）―5 bit
・  第１のトランスポートブロックに対する上りリンクデータの初期送信または再送信を示す情報ビットがマップされるフィールド（New data indicator for first transport block field）―1 bit
・  第２のトランスポートブロックに対する変調および符号化方式と、リダンダンシーバージョンを示す情報ビットがマップされるフィールド（Modulation and coding scheme and redundancy version for second transport block field）―5 bit
・  第２のトランスポートブロックに対する上りリンクデータの初期送信または再送信を示す情報ビットがマップされるフィールド（New data indicator for second transport block field）―1 bit
【００５８】
Resource block assignment fieldのビット数[x]は、上りリンク帯域幅に応じて決定される。Precoding information and number of layers fieldのビット数は、移動局装置１がＰＵＳＣＨを送信する際のアンテナポートの数が２の場合には３ビットであり、移動局装置１がＰＵＳＣＨを送信する際のアンテナポートの数が４の場合には６ビットである。リダンダンシーバージョンは、移動局装置１が、トランスポートブロックの符号化ビット系列のうち、どの部分をＰＵＳＣＨで送信するかを示す。
【００５９】
ＤＣＩフォーマット４において、Resource block assignment fieldによって１つより多い物理リソースブロック（Physical Resource Block: PRB）が示されており、トランスポートブロックが対応するModulation and coding scheme and redundancy version for first transport block fieldに０がセットされている組み合わせ、またはResource block assignment fieldによって１つの物理リソースブロックが示されており、トランスポートブロックが対応するModulation and coding scheme and redundancy version for first transport block fieldに２８がセットされている組み合わせのいずれかの場合には、該トランスポートブロックは無効である。移動局装置１は、無効ではないトランスポートブロックを有効であると判断する。移動局装置１は、無効であるトランスポートブロック（disabled transport block）をＰＵＳＣＨで送信せず、有効であるトランスポートブロック（enabled transport block）をＰＵＳＣＨで送信する。物理リソースブロックは、ＰＵＳＣＨを割り当てる単位であり、予め決められた幅の周波数帯（１８０kHz）および時間帯（0.5msec）から構成される。
【００６０】
ＤＣＩフォーマット４において、２つのトランスポートブロックのうち１つのトランスポートブロックが無効であり１つのトランスポートブロックが有効である場合には、無効であるトランスポートブロックに対するNew data indicator fieldは、δPOWER-OFFSETを示す。δPOWER-OFFSETは、ＰＵＳＣＨの電力制御に用いられる。図２は、本発明の無効であるトランスポートブロックに対するNew data indicator fieldとδPOWER-OFFSETとの対応を示す表である。無効であるトランスポートブロックに対するNew data indicator fieldが０にセットされている場合、δPOWER-OFFSETは−１０ｌｏｇ１０（２）である。無効であるトランスポートブロックに対するNew data indicator fieldが１にセットされている場合、δPOWER-OFFSETは０である。ＤＣＩフォーマット４において２つのトランスポートブロックが有効である、またはＰＵＳＣＨがＤＣＩフォーマット０でスケジューリングされた場合には、δPOWER-OFFSETは０である。
【００６１】
下りリンク制御情報の符号化方法について説明する。まず基地局装置３は、下りリンク制御情報から生成した巡回冗長検査（Cyclic Redundancy Check: CRC）符号を下りリンク制御情報に付加する。次に、付加された巡回冗長検査符号をＲＮＴＩ（Radio Network Temporary Identifier）でスクランブル（scramble）する。移動局装置１は、巡回冗長検査符号がいずれのＲＮＴＩでスクランブルされているかによって下りリンク制御情報の解釈を変更する。
【００６２】
例えば、移動局装置１は、自装置が基地局装置３から割り当てられたＣ−ＲＮＴＩ（Cell-Radio Network Temporary Identity）で巡回冗長検査符号がスクランブルされていた場合は、下りリンク制御情報が自装置宛の無線リソースを示していると判断し、自装置が基地局装置３から割り当てられたＳＰＳ（Semi Persistent Scheduling）Ｃ−ＲＮＴＩで巡回冗長検査符号がスクランブルされていた場合は、下りリンク制御情報が自装置宛の永続的（周期的）な無線リソースの割り当て、または永続的な無線リソースのリリース、または永続的な無線リソースで送信したＰＵＳＣＨの再送を示していると判断する。
【００６３】
以下、下りリンク制御情報にＲＮＴＩでスクランブルされた巡回冗長検査符号が付加されていることを、単に下りリンク制御情報にＲＮＴＩが含まれている、またはＰＤＣＣＨにＲＮＴＩが含まれていると表現する。
【００６４】
移動局装置１は、ＰＤＣＣＨをデコード処理し、下りリンク制御情報に付加されている巡回冗長検査符号と、移動局装置１が受信した下りリンク制御情報から生成した巡回冗長検査符号がマッチした場合にＰＤＣＣＨの取得に成功したと判断し、マッチしなかった場合にＰＤＣＣＨのデコードに失敗したと判断する。この処理をブラインドデコーディング（blind decoding）またはモニタリング（monitoring）と称する。
【００６５】
以下、本発明の送信電力制御について説明する。
【００６６】
移動局装置１は、ＰＵＳＣＨに対する送信電力の設定を（１）式または（２）式に基づいて行なう。移動局装置１は、サービングセルｃのサブフレームｉでＰＵＣＣＨを同時に送信せずにＰＵＳＣＨを送信する場合には、該サービングセルｃのサブフレームｉのＰＵＳＣＨに対する送信電力PPUSCH,c（ｉ）の設定を（１）式に基づいて行なう。
【００６７】
【数１】
0005739221.tif 000002
【００６８】
移動局装置１は、サービングセルｃのサブフレームｉでＰＵＣＣＨとＰＵＳＣＨを同時に送信する場合には、該サービングセルｃのサブフレームｉのＰＵＳＣＨに対する送信電力PPUSCH,c（ｉ）の設定を（２）式に基づいて行なう。
【００６９】
【数２】
0005739221.tif 000003
【００７０】
min{X,Y}は、X,Yのうち最小値を選択する関数である。PCMAX,cは、サービングセルｃのサブフレームｉにおいて設定された最大送信電力値であり、P'CMAX,cはPCMAX,cの真数である。P'PUCCH,cは、サービングセルｃのサブフレームｉで送信されるＰＵＣＣＨの送信電力の真数である。MPUSCH,c（ｉ）は、サービングセルｃのサブフレームｉにおいて物理リソースブロックの数で表現されるＰＵＳＣＨのリソース割り当ての帯域幅である。PO_PUSCH,cは、サービングセルｃに対して上位層から指定されるパラメータであり、αcは、サービングセルｃに対して上位層から指定される３ビットのパラメータであり、｛０、０．４、０．５、０．６、０．７、０．８、０．９、１｝のうち１つが指定される。ＰＬcは、移動局装置１によって測定されるサービングセルｃに対する下りリンクパスロスである。サービングセルｃに対する下りリンクパスロスは、プライマリーセルから測定してもよい。ΔTF,c（ｉ）は、サービングセルｃのサブフレームｉで送信されるＰＵＳＣＨに対する初期送信時のリソース量とトランスポートブロックサイズから算出されるオフセットである。
【００７１】
ｆc（ｉ）は、サービングセルｃに対するＤＣＩフォーマット０またはＤＣＩフォーマット４に含まれるＴＰＣコマンドから算出される値である。移動局装置１は、基地局装置３から受信した上位層のメッセージに応じて、ｆc（ｉ）を算出するモードとして、第１のモード（ａｃｃｕｍｕｌａｔｉｏｎ）または第２のモード（ａｂｓｏｌｕｔｅ）を設定する。第１のモードを設定している移動局装置１は、ｆc（・）の初期値をｆc（０）＝０とし、サービングセルｃに対するＴＰＣコマンドの値をｆc（・）に累算する。第２のモードを設定している移動局装置１は、サービングセルｃのサブフレームｉに対するＴＰＣコマンドの値をｆc（ｉ）とする。図３は、本発明のＴＰＣコマンドと電力の値との対応を示す表である。ＴＰＣコマンドと値との対応は第１のモードと第２のモードとで異なる。第１のモードにおいてＴＰＣコマンドは｛−１、０、１、３｝のうち１つの値を示す。第２のモードにおいてＴＰＣコマンドは｛−４、−１、１、４｝のうち１つの値を示す。
【００７２】
δPOWER-OFFSET（ｉ）は、サービングセルｃに対するＤＣＩフォーマット０またはＤＣＩフォーマット４によって明示的または暗示的に示される値である。無効であるトランスポートブロックに対するNew data indicator fieldが０にセットされている場合、δPOWER-OFFSETは−１０ｌｏｇ１０（２）である。無効であるトランスポートブロックに対するNew data indicator fieldが１にセットされている場合、δPOWER-OFFSETは０である。ＤＣＩフォーマット４において２つのトランスポートブロックが有効である、またはＰＵＳＣＨがＤＣＩフォーマット０でスケジューリングされた場合には、δPOWER-OFFSETは０である。移動局装置１は、サブフレームｉにおいてＤＣＩフォーマット０およびＤＣＩフォーマット４を受信せず、トランスポートブロックに対するＰＨＩＣＨでＮＡＣＫを受信した際には、該トランスポートブロックに対して最後に受信したＤＣＩフォーマット０またはＤＣＩフォーマット４に従って、δPOWER-OFFSETの値を決定する。
【００７３】
移動局装置１は、サービングセル毎のパワーヘッドルーム（Power Headroom: PH）を基地局装置３に送信する。移動局装置１は、サービングセルｃのサブフレームｉでＰＵＣＣＨを同時に送信せずにＰＵＳＣＨを送信する場合には、該サービングセルｃのサブフレームｉのＰＵＳＣＨに対するパワーヘッドルームPHtype1,c（ｉ）を（３）式から算出する。
【００７４】
【数３】
0005739221.tif 000004
【００７５】
移動局装置１は、サービングセルｃのサブフレームｉでＰＵＣＣＨとＰＵＳＣＨと送信しない場合には、該サービングセルｃのサブフレームｉのＰＵＳＣＨに対するパワーヘッドルームPHtype1,c（ｉ）を（４）式から算出する。
【００７６】
【数４】
0005739221.tif 000005
【００７７】
P''CMAX,cは、サービングセルｃのサブフレームｉにおいて、バックオフをとらないとして設定された最大送信電力値である。（４）式は、（３）式のPCMAX,cをP''CMAX,c に変更し、MPUSCH,c（ｉ）を１とし、ΔTF,c（ｉ）を０とし、δPOWER-OFFSET（ｉ）を０とすることに相当する。
【００７８】
以下、本発明の装置構成について説明する。
【００７９】
図４は、本発明の基地局装置３の構成を示す概略ブロック図である。図示するように、基地局装置３は、上位層処理部３０１、制御部３０３、受信部３０５、送信部３０７、および、送受信アンテナ３０９、を含んで構成される。上位層処理部３０１は、無線リソース制御部３０１１、スケジューリング部３０１３と制御情報生成部３０１５とを含んで構成される。受信部３０５は、復号化部３０５１、復調部３０５３、多重分離部３０５５、無線受信部３０５７とチャネル測定部３０５９とを含んで構成される。送信部３０７は、符号化部３０７１、変調部３０７３、多重部３０７５、無線送信部３０７７と下りリンク参照信号生成部３０７９とを含んで構成される。
【００８０】
上位層処理部３０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。上位層処理部３０１は、受信部３０５、および送信部３０７の制御を行なうために制御情報を生成し、制御部３０３に出力する。
【００８１】
上位層処理部３０１が備える無線リソース制御部３０１１は、下りリンクのＰＤＳＣＨに配置される下りリンクデータ（トランスポートブロック）、ＲＲＣシグナル、ＭＡＣ  ＣＥ（Control Element）を生成し、又は上位ノードから取得し、送信部３０７に出力する。また、無線リソース制御部３０１１は、移動局装置１各々の各種設定情報の管理をする。例えば、無線リソース制御部３０１１は、ＴＰＣコマンドのモードの管理や移動局装置１に設定したサービングセルの管理などを行なう。
【００８２】
上位層処理部３０１が備えるスケジューリング部３０１３は、ＰＤＳＣＨおよびＰＵＳＣＨのスケジューリングを行ない、スケジューリング結果を制御情報生成部３０１５に通知する。スケジューリング部３０１３は、ＭＵ−ＭＩＭＯを行なう移動局装置１のペアを決定し、ＭＵ−ＭＩＭＯを行なう移動局装置１のペアを下りリンク制御情報生成部３０１５に通知する。スケジューリング部３０１３は、上りリンク送信電力に関するパラメータを決定し、決定したパラメータを制御情報生成部３０１５に通知する。
【００８３】
上位層処理部３０１が備える制御情報生成部３０１５は、スケジューリング部３０１３から通知されたスケジューリング結果に基づいてＰＤＣＣＨで送信される下りリンク制御情報を生成する。制御情報生成部３０１５は、スケジューリング部３０１３から通知されたＭＵ−ＭＩＭＯを行なう移動局装置１に対して１つのトランスポートブロックの無効と、δPOWER-OFFSETとして−１０ｌｏｇ１０（２）を示すＤＣＩフォーマット４を生成する。制御情報生成部３０１５は、スケジューリング部３０１３から通知された上りリンク送信電力に関するパラメータに基づき、該パラメータを示す情報を生成する。
【００８４】
制御部３０３は、上位層処理部３０１からの制御情報に基づいて、受信部３０５、および送信部３０７の制御を行なう制御信号を生成する。制御部３０３は、生成した制御信号を受信部３０５、および送信部３０７に出力して受信部３０５、および送信部３０７の制御を行なう。
【００８５】
受信部３０５は、制御部３０３から入力された制御信号に従って、送受信アンテナ３０９を介して移動局装置１から受信したＰＵＣＣＨ、ＰＵＳＣＨ、ＰＲＡＣＨ、および上りリンク参照信号を分離、復調、復号し、復号した情報を上位層処理部３０１に出力する。受信部３０５は、受信した上りリンクの信号から上りリンクのチャネルの状態を測定し、測定した結果を上位層処理部３０１に出力する。
【００８６】
送信部３０７は、制御部３０３から入力された制御信号に従って、下りリンク参照信号を生成し、上位層処理部３０１から入力されたＨＡＲＱインディケータ、下りリンク制御情報、下りリンクデータを符号化、および変調し、ＰＨＩＣＨ、ＰＤＣＣＨ、ＰＤＳＣＨ、および下りリンク参照信号を多重して、送受信アンテナ３０９を介して移動局装置１に信号を送信する。
【００８７】
図５は、本発明の移動局装置１の構成を示す概略ブロック図である。図示するように、移動局装置１は、上位層処理部１０１、制御部１０３、受信部１０５、送信部１０７および、送受信アンテナ１０９を含んで構成される。上位層処理部１０１は、無線リソース制御部１０１１、スケジューリング部１０１３と送信電力制御部１０１５とを含んで構成される。受信部１０５は、復号化部１０５１、復調部１０５３、多重分離部１０５５、無線受信部１０５７とチャネル測定部１０５９とを含んで構成される。送信部１０７は、符号化部１０７１、変調部１０７３、多重部１０７５、無線送信部１０７７と上りリンク参照信号生成部１０７９とを含んで構成される。
【００８８】
上位層処理部１０１は、ユーザの操作等により生成された上りリンクデータを、送信部１０７に出力する。また、上位層処理部１０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部１０１は受信部１０５、および送信部１０７の制御を行なうために制御情報を生成し、制御部１０３に出力する。
【００８９】
上位層処理部１０１が備える無線リソース制御部１０１１は、自装置の各種設定情報の管理を行なう。例えば、無線リソース制御部１０１１は、ＴＰＣコマンドのモードの管理やサービングセルの管理を行なう。無線リソース制御部１０１１は、上りリンクの各チャネルに配置される情報を生成し、送信部１０７に出力する。
【００９０】
上位層処理部１０１が備えるスケジューリング部１０１３は、受信部１０５から入力された下りリンクアサインメントに従ってＰＤＳＣＨを受信するよう、制御部１０３を介して、受信部１０５を制御する。スケジューリング部１０１３は、受信部１０５から入力された上りリンクグラントに従ってＰＵＳＣＨを送信するよう、制御部１０３を介して、送信部１０７を制御する。スケジューリング部１０１３は、上りリンクグラントに含まれるＴＰＣコマンドを、送信電力制御部１０１５に出力する。スケジューリング部１０１３は、ＰＵＳＣＨに対する最後に受信したＤＣＩフォーマットが、ＤＣＩフォーマット０である、または２つのトランスポートブロックが有効であるＤＣＩフォーマット４である場合には、δPOWER-OFFSETが０であることを送信電力制御部１０１５に通知する。スケジューリング部１０１３は、ＰＵＳＣＨに対する最後に受信したＤＣＩフォーマットが、１つのトランスポートブロックが無効であるＤＣＩフォーマット４である場合には、無効であるトランスポートブロックに対するNew data indicator fieldにセットされた値から決定されるδPOWER-OFFSETを送信電力制御部１０１５に通知する。
【００９１】
上位層処理部１０１が備える送信電力制御部１０１５は、スケジューリング部１０１３から入力されたＴＰＣコマンドやδPOWER-OFFSETなどを用いて（１）式または（２）式に基づき、ＰＵＳＣＨの送信電力の設定を行なう。送信電力制御部１０１５は、第１のモード（ａｃｃｕｍｕｌａｔｉｏｎ）が設定されている際には、ｆc（・）の初期値をｆc（０）＝０とし、スケジューリング部１０１３から入力されたＴＰＣコマンドの値をｆc（・）に累算する。送信電力制御部１０１５は、第２のモード（ａｂｓｏｌｕｔｅ）が設定されている際には、スケジューリング部１０１３から入力されたＴＰＣコマンドの値をｆc（ｉ）とする。
【００９２】
制御部１０３は、上位層処理部１０１からの制御情報に基づいて、受信部１０５、および送信部１０７の制御を行なう制御信号を生成する。制御部１０３は、生成した制御信号を受信部１０５、および送信部１０７に出力して受信部１０５、および送信部１０７の制御を行なう。
【００９３】
受信部１０５は、制御部１０３から入力された制御信号に従って、送受信アンテナ１０９を介して基地局装置３から受信したＰＨＩＣＨ、ＰＤＣＣＨ、ＰＤＳＣＨ、および下りリンク参照信号を、分離、復調、復号し、復号した情報を上位層処理部１０１に出力する。受信部１０５は、受信した下りリンクの信号から上りリンクのチャネルの状態を測定し、測定した結果を上位層処理部１０１に出力する。
【００９４】
送信部１０７は、制御部１０３から入力された制御信号に従って、上りリンク参照信号を生成し、上位層処理部１０１から入力された上りリンクデータ（トランスポートブロック）を符号化および変調し、ＰＵＣＣＨ、ＰＵＳＣＨ、および生成した上りリンク参照信号を多重し、送受信アンテナ１０９を介して基地局装置３に送信する。
【００９５】
以下、本発明の装置の動作について説明する。
【００９６】
図６は、本発明の移動局装置１の動作の一例を示すフローチャート図である。移動局装置１は、基地局装置３から受信した送信電力制御に関する上位層のパラメータを設定する（ステップＳ１００）。移動局装置１は、ＴＰＣコマンドのモードを示す上位層の信号を基地局装置３から受信し、受信した上位層の信号に応じてＴＰＣコマンドのモードを設定する（ステップＳ１０２）。尚、ＴＰＣコマンドのモードを示す上位層の信号を基地局装置３から受信しなかった際には、移動局装置１は、ＴＰＣコマンドのモードをデフォルトのモードにする。デフォルトのモードは、予め定められたモードであり、第１のモードでも、第２のモードでもよい。
【００９７】
移動局装置１は、ＰＵＳＣＨのスケジューリングに用いられる上りリンクグラント（ＤＣＩフォーマット０またはＤＣＩフォーマット４）を受信する（ステップＳ１０２）。移動局装置１は、最後に受信した上りリンクグラントがＤＣＩフォーマット４であり（ステップＳ１０３−ＤＣＩフォーマット４）、１つのトランスポートブロックが無効である場合には（ステップＳ１０４―Ｙｅｓ）、無効であるトランスポートブロックに対するNew data indicator fieldにセットされた値から、δPOWER-OFFSETを決定する（ステップS１０５）。
【００９８】
移動局装置１は、ステップS１０５においてNew data indicator fieldに０がセットされている場合には（ステップS１０５−０）、δPOWER-OFFSETを−１０ｌｏｇ１０（２）とする（ステップS１０６）。移動局装置１は、ステップS１０５においてNew data indicator fieldに１がセットされている場合には（ステップS１０５−１）、δPOWER-OFFSETを０とする（ステップS１０７）。
【００９９】
移動局装置１は、ステップS１０３において最後に受信した上りリンクグラントがＤＣＩフォーマット０である場合には（ステップS１０３−ＤＣＩフォーマット０）、δPOWER-OFFSETを０とする（ステップS１０７）。移動局装置１は、ステップS１０４において２つのトランスポートブロックが有効である場合には（ステップS１０４―Ｎｏ）、δPOWER-OFFSETを０とする（ステップS１０７）。
【０１００】
移動局装置１は、ステップＳ１０６またはステップＳ１０７の後に、ステップＳ１０１で設定したＴＰＣコマンドのモードを判定する（ステップＳ１０８）。移動局装置１は、ＴＰＣコマンドのモードが第１のモード（ａｃｃｕｍｕｌａｔｉｏｎ）である場合には（ステップＳ１０８−第１のモード）、ｆc（・）の初期値をｆc（０）＝０とし、サービングセルｃに対するＴＰＣコマンドの値をｆc（・）に累算する（ステップＳ１０９）。移動局装置１は、ＴＰＣコマンドのモードが第２のモード（ａｂｓｏｌｕｔｅ）である場合には（ステップＳ１０８−第２のモード）、ＴＰＣコマンドの値をｆc（ｉ）にセットする。（ステップＳ１１０）。
【０１０１】
移動局装置１は、ステップＳ１０９またはステップＳ１１０の後に、（１）式または（２）式からＰＵＳＣＨの送信電力を算出する（ステップＳ１１１）。移動局装置１は、ステップＳ１１１の後に、ＰＵＳＣＨの送信電力の算出に関する処理を終了する。
【０１０２】
このように、本発明によれば、基地局装置３と移動局装置１とが通信する無線通信システムにおいて、基地局装置３は、ＴＰＣコマンド（第１の送信電力制御情報）とδPOWER-OFFSETを示す情報（第２の送信電力制御情報）とを含み、ＰＵＳＣＨ（物理上りリンク共用チャネル）のスケジューリングに用いられるＤＣＩフォーマット４（下りリンク制御情報）を移動局装置１に送信し、移動局装置１は、該ＤＣＩフォーマット４を基地局装置３から受信し、ＴＰＣコマンド（第１の送信電力制御情報）が示す値を累算し、該累算された値とδPOWER-OFFSETの値を用いて、ＰＵＳＣＨの送信電力を算出する。これにより、ＰＵＳＣＨの送信電力の制御を正確に行なうことができる。
【０１０３】
また、本発明によれば、基地局装置３と移動局装置１とが通信する無線通信システムにおいて、基地局装置３は、ＤＣＩフォーマット４（２つのトランスポートブロックに対する下りリンク制御情報）によって、移動局装置１に、１つのトランスポートブロックの無効を示し、もう１つのトランスポートブロックの有効を示す場合には、無効であるトランスポートブロックのNew data indicator field（初期送信または再送信を示す情報がマップされるフィールド）に、δPOWER-OFFSET（電力オフセット）を示す送信電力制御情報をマップし、該ＤＣＩフォーマット４を移動局装置１に送信し、移動局装置１は、該ＤＣＩフォーマット４を基地局装置３から受信した場合には、該送信電力制御情報が示すδPOWER-OFFSETを用いて、ＰＵＳＣＨの送信電力を算出する。
【０１０４】
これにより、基地局装置３は、無効であるトランスポートブロックのNew data indicator fieldを再利用して、δPOWER-OFFSETを移動局装置１に通知することができ、効率的に移動局装置から基地局装置への信号の電力を制御することができる。
【０１０５】
本発明に関わる基地局装置３、および移動局装置１で動作するプログラムは、本発明に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行われる。
【０１０６】
尚、上述した実施形態における移動局装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０１０７】
尚、ここでいう「コンピュータシステム」とは、移動局装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０１０８】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１０９】
また、上述した実施形態における移動局装置１、基地局装置３の一部、又は全部を典型的には集積回路であるＬＳＩとして実現してもよいし、チップセットとして実現してもよい。移動局装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０１１０】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【０１１１】
１（１Ａ、１Ｂ、１Ｃ）  移動局装置
３  基地局装置
１０１  上位層処理部
１０３  制御部
１０５  受信部
１０７  送信部
３０１  上位層処理部
３０３  制御部
３０５  受信部
３０７  送信部
１０１１  無線リソース制御部
１０１３  スケジューリング部
１０１５  送信電力制御部
３０１１  無線リソース制御部
３０１３  スケジューリング部
３０１５  制御情報生成部
【図１】
0005739221.tif 000006
【図２】
0005739221.tif 000007
【図３】
0005739221.tif 000008
【図４】
0005739221.tif 000009
【図５】
0005739221.tif 000010
【図６】
0005739221.tif 000011
【図７】
0005739221.tif 000012